(57)【要約】      （修正有）【課題】誘引する部位を多段に設けたゴキブリ誘引器を提供する。【解決手段】ゴキブリ誘引器Ｇは、上方に位置する最上の層１と、下方に位置し、載置面に置かれたゴキブリ駆除剤３を通す開口部４ａを有する最下の層４と、最上の層１と最下の層４との間に設けられ、載置面に置かれたゴキブリ駆除剤３を通す開口部５ａを有する中間の層５と、下から上に向かって水平方向に間隔を設けて、最下の層４と中間の層５と最上の層１とが保持された本体とを備えてなるものである。【選択図】図５
2020198786.tif 000002
【特許請求の範囲】
【請求項１】
上方に位置する最上の層と、
下方に位置し、載置面に置かれたゴキブリ駆除剤を通す開口部を有する最下の層と、
前記最上の層と前記最下の層との間に設けられ、前記載置面に置かれた前記ゴキブリ駆除剤を通す開口部を有する中間の層と、
下から上に向かって水平方向に間隔を設けて、前記最下の層と前記中間の層と前記最上の層とが保持された本体とを備えてなる
ことを特徴とするゴキブリ誘引器。
【請求項２】
上方に位置する最上の層と、
下方に位置する最下の層と、
前記最上の層と前記最下の層との間に設けられた中間の層と、
下から上に向かって水平方向に間隔を設けて、前記最下の層と前記中間の層と前記最上の層とが保持された本体と、
前記最上の層と前記中間の層との間に設けられた第１のゴキブリ駆除剤と、
前記最下の層と前記中間の層との間に設けられた第２のゴキブリ駆除剤とを備えてなる
ことを特徴とするゴキブリ誘引器。
【請求項３】
上方に位置する最上の層と、
下方に位置する最下の層と、
前記最上の層と前記最下の層との間に設けられた中間の層と、
下から上に向かって水平方向に間隔を設けて、前記最下の層と前記中間の層と前記最上の層とが保持された本体とを備えてなる
ことを特徴とするゴキブリ誘引器。
【請求項４】
最上の層は、外縁が四角形状であり、
最下の層は、外縁が四角形状であり、
中間の層は、外縁が四角形状であり、
前記最上の層の四隅にそれぞれ設けられた第１、第２、第３、第４の最上層開口部と、
前記第１、第２、第３、第４の最上層開口部に対応すると共に、前記最下の層の外縁に開口して前記最下の層に設けられる第１、第２、第３、第４の最下層開口部と、
前記第１、第２、第３、第４の最上層開口部に対応すると共に、前記中間の層の外縁に開口して前記中間の層に設けられる第１、第２、第３、第４の中間開口部と、
前記第１の最下層開口部の縁部及び前記第１の中間開口部の縁部に当接し、前記第１の最上層開口部より突出する第１の間隔保持部材と、
前記第２の最下層開口部の縁部及び前記第２の中間開口部の縁部に当接し、前記第２の最上層開口部より突出する第２の間隔保持部材と、
前記第３の最下層開口部の縁部及び前記第３の中間開口部の縁部に当接し、前記第３の最上層開口部より突出する第３の間隔保持部材と、
前記第４の最下層開口部の縁部及び前記第４の中間開口部の縁部に当接し、前記第４の最上層開口部より突出する第４の間隔保持部材とを備えてなる
ことを特徴とする請求項１〜３のいずれかに記載のゴキブリ誘引器。
【請求項５】
最上の層、最下の層、中間の層、第１の間隔保持部材、第２の間隔保持部材、第３の間隔保持部材及び第４の間隔保持部材は、紙製の段ボールで形成されている
ことを特徴とする請求項１〜４のいずれかに記載のゴキブリ誘引器。
【請求項６】
載置面に置かれたゴキブリ駆除剤を覆う本体とを備え、
前記本体は、平面視、ゴキブリ成虫が身を隠す大きさで、前記本体と前記載置面との間には、前記ゴキブリ成虫が前記本体内に侵入できる隙間が形成されている
ことを特徴とするゴキブリ誘引器。
【発明の詳細な説明】
【技術分野】
【０００１】
本発明は、ゴキブリ誘引器に係り、特に、誘引効果を高めたゴキブリ誘引器に関する。
【背景技術】
【０００２】
従来、ケース入りのゴキブリ駆除剤が市販されている（特許文献１）。
【先行技術文献】
【特許文献】
【０００３】
【特許文献１】意匠登録第１５６１１４５号公報
【発明の概要】
【発明が解決しようとする課題】
【０００４】
上記市販のケース入りのゴキブリ駆除剤はゴキブリが身を隠しきれず誘引効果が少ないという問題点が生じた。
【０００５】
本発明は、上記の問題点を考慮してなされたゴキブリ誘引器を提供することにある。
【課題を解決するための手段】
【０００６】
請求項１記載のゴキブリ誘引器は、上方に位置する最上の層と、下方に位置し、載置面に置かれたゴキブリ駆除剤を通す開口部を有する最下の層と、前記最上の層と前記最下の層との間に設けられ、前記載置面に置かれた前記ゴキブリ駆除剤を通す開口部を有する中間の層と、下から上に向かって水平方向に間隔を設けて、前記最下の層と前記中間の層と前記最上の層とが保持された本体とを備えてなるものである。
【０００７】
また、請求項２記載のゴキブリ誘引器は、上方に位置する最上の層と、下方に位置する最下の層と、前記最上の層と前記最下の層との間に設けられた中間の層と、下から上に向かって水平方向に間隔を設けて、前記最下の層と前記中間の層と前記最上の層とが保持された本体と、前記最上の層と前記中間の層との間に設けられた第１のゴキブリ駆除剤と、前記最下の層と前記中間の層との間に設けられた第２のゴキブリ駆除剤とを備えてなるものである。
【０００８】
また、請求項３記載のゴキブリ誘引器は、上方に位置する最上の層と、下方に位置する最下の層と、前記最上の層と前記最下の層との間に設けられた中間の層と、下から上に向かって水平方向に間隔を設けて、前記最下の層と前記中間の層と前記最上の層とが保持された本体とを備えてなるものである。
【０００９】
また、請求項４記載のゴキブリ誘引器は、請求項１〜３のいずれかに記載のゴキブリ誘引器において、最上の層は、外縁が四角形状であり、最下の層は、外縁が四角形状であり、中間の層は、外縁が四角形状であり、前記最上の層の四隅にそれぞれ設けられた第１、第２、第３、第４の最上層開口部と、前記第１、第２、第３、第４の最上層開口部に対応すると共に、前記最下の層の外縁に開口して前記最下の層に設けられる第１、第２、第３、第４の最下層開口部と、前記第１、第２、第３、第４の最上層開口部に対応すると共に、前記中間の層の外縁に開口して前記中間の層に設けられる第１、第２、第３、第４の中間開口部と、前記第１の最下層開口部の縁部及び前記第１の中間開口部の縁部に当接し、前記第１の最上層開口部より突出する第１の間隔保持部材と、前記第２の最下層開口部の縁部及び前記第２の中間開口部の縁部に当接し、前記第２の最上層開口部より突出する第２の間隔保持部材と、前記第３の最下層開口部の縁部及び前記第３の中間開口部の縁部に当接し、前記第３の最上層開口部より突出する第３の間隔保持部材と、前記第４の最下層開口部の縁部及び前記第４の中間開口部の縁部に当接し、前記第４の最上層開口部より突出する第４の間隔保持部材とを備えてなるものである。
【００１０】
また、請求項５記載のゴキブリ誘引器は、請求項１〜４のいずれかに記載のゴキブリ誘引器において、最上の層、最下の層、中間の層、第１の間隔保持部材、第２の間隔保持部材、第３の間隔保持部材及び第４の間隔保持部材は、紙製の段ボールで形成されているものである。
【００１１】
また、請求項６記載のゴキブリ誘引器は、載置面に置かれたゴキブリ駆除剤を覆う本体とを備え、前記本体は、平面視、ゴキブリ成虫が身を隠す大きさで、前記本体と前記載置面との間には、前記ゴキブリ成虫が前記本体内に侵入できる隙間が形成されているものである。
【発明の効果】
【００１２】
請求項１記載のゴキブリ誘引器によれば、上方に位置する最上の層と、下方に位置し、載置面に置かれたゴキブリ駆除剤を通す開口部を有する最下の層と、前記最上の層と前記最下の層との間に設けられ、前記載置面に置かれたゴキブリ駆除剤を通す開口部を有する中間の層と、下から上に向かって水平方向に間隔を設けて、前記最下の層と前記中間の層と前記最上の層とが保持された本体とを備えてなるため、本体内にゴキブリが身を隠すスペースを設けて、誘引効果を高め、しかも、誘引する部位を多段に設けた分、省スペースに対応できると共に、より多くのゴキブリを誘引することができる。
【００１３】
また、請求項２記載のゴキブリ誘引器によれば、上方に位置する最上の層と、下方に位置する最下の層と、前記最上の層と前記最下の層との間に設けられた中間の層と、下から上に向かって水平方向に間隔を設けて、前記最下の層と前記中間の層と前記最上の層とが保持された本体と、前記最上の層と前記中間の層との間に設けられた第１のゴキブリ駆除剤と、前記最下の層と前記中間の層との間に設けられた第２のゴキブリ駆除剤とを備えてなるため、本体内にゴキブリが身を隠すスペースを設けて、誘引効果を高め、しかも、誘引する部位を多段に設けた分、省スペースに対応できると共に、より多くのゴキブリを誘引することができ、しかも、ゴキブリ駆除剤の効果を最下の層と前記中間の層との間のみならず、最上の層と中間の層との間にも及ぼすことができる。
【００１４】
また、請求項３記載のゴキブリ誘引器によれば、上方に位置する最上の層と、下方に位置する最下の層と、前記最上の層と前記最下の層との間に設けられた中間の層と、下から上に向かって水平方向に間隔を設けて、前記最下の層と前記中間の層と前記最上の層とが保持された本体とを備えてなるため、本体内にゴキブリが身を隠すスペースを設けて、誘引効果を高め、しかも、誘引する部位を多段に設けた分、省スペースに対応できると共に、より多くのゴキブリを集めることができる。
【００１５】
また、請求項４記載のゴキブリ誘引器によれば、上述した請求項１〜３の発明の効果に加え、最上の層は、外縁が四角形状であり、最下の層は、外縁が四角形状であり、中間の層は、外縁が四角形状であり、前記最上の層の四隅にそれぞれ設けられた第１、第２、第３、第４の最上層開口部と、前記第１、第２、第３、第４の最上層開口部に対応すると共に、前記最下の層の外縁に開口して前記最下の層に設けられる第１、第２、第３、第４の最下層開口部と、前記第１、第２、第３、第４の最上層開口部に対応すると共に、前記中間の層の外縁に開口して前記中間の層に設けられる第１、第２、第３、第４の中間開口部と、前記第１の最下層開口部の縁部及び前記第１の中間開口部の縁部に当接し、前記第１の最上層開口部より突出する第１の間隔保持部材と、前記第２の最下層開口部の縁部及び前記第２の中間開口部の縁部に当接し、前記第２の最上層開口部より突出する第２の間隔保持部材と、前記第３の最下層開口部の縁部及び前記第３の中間開口部の縁部に当接し、前記第３の最上層開口部より突出する第３の間隔保持部材と、前記第４の最下層開口部の縁部及び前記第４の中間開口部の縁部に当接し、前記第４の最上層開口部より突出する第４の間隔保持部材とを備えてなるため、多段構成のゴキブリ誘引器を簡易に作ることができ、しかも、第１、第２、第３、第４の間隔保持部材は、それぞれ第１、第２、第３、第４の最上層開口部より突出するため、突出した部位の何れかを摘んでゴキブリ誘引器を廃棄することができ、更に、外縁が四角形状である最上の層、最下の層、中間の層が積層されて構成された本体の側方の４面は、開放されているため、ゴキブリ誘引器へのゴキブリの侵入が容易で、より多くのゴキブリをゴキブリ誘引器内に導くことができる。
【００１６】
また、請求項５記載のゴキブリ誘引器によれば、上述した請求項１〜４の発明の効果に加え、最上の層、最下の層、中間の層、第１の間隔保持部材、第２の間隔保持部材、第３の間隔保持部材及び第４の間隔保持部材は、紙製の段ボールで形成されているため、ゴキブリ誘引器内の保温性が良くゴキブリが集まり易く、誘引後もゴキブリ誘引器を焼却ゴミとしてそのまま廃棄することができる。
【００１７】
また、請求項６記載のゴキブリ誘引器によれば、本体内にゴキブリ成虫が身を隠すスペースを設けて、誘引効果を高めて、ゴキブリを誘引することができる。
【図面の簡単な説明】
【００１８】
【図１】図１は、本発明の一実施例のゴキブリ誘引器の概略的斜視図である。
【図２】図２は、図１のゴキブリ誘引器を裏側から見た概略的斜視図である。
【図３】図３は、図１のゴキブリ誘引器の使用状態の概略的斜視図である。
【図４】図４は、図３の概略的断面図である。
【図５】図５は、図３の最上の層を取り外した状態の概略的斜視図である。
【発明を実施するための形態】
【００１９】
本発明の一実施例のゴキブリ誘引器を図１乃至図５を参照して説明する。
【００２０】
図１に示すＧはゴキブリ誘引器で、ゴキブリ誘引器Ｇは、載置面２に置かれたゴキブリ駆除剤３を覆う本体１０とを備え、本体１０は、平面視、ゴキブリ成虫が身を隠す大きさで、本体１０と載置面２との間には、前記ゴキブリ成虫が本体１０内に侵入できる隙間が形成されているものである。
ゴキブリ誘引器Ｇは、具体的には、上方に位置する最上の層１と、下方に位置し、載置面２に置かれたゴキブリ駆除剤（例えば、内部にほう酸 、たまねぎ、小麦粉、砂糖、牛乳等で形成された通称「ゴキブリ団子、ほう酸団子」を収納したケース）３を通す開口部４ａを有する最下の層４と、最上の層１と最下の層４との間に設けられ、載置面２に置かれたゴキブリ駆除剤３を通す開口部５ａを有する中間の層５と、下から上に向かって水平方向に間隔を設けて、最下の層４と中間の層５と最上の層１とが保持された本体１０とを備えてなるものである。
【００２１】
なお、最下の層４と中間の層５との間隔は、例えば、５ｍｍ〜１０ｍｍ、最上の層１と中間の層５との間隔は、例えば、５ｍｍ〜１０ｍｍであり、また、本実施例のゴキブリ誘引器Ｇは、最上の層１、中間の層５、最下の層４の３層の構成となっているが、本願発明にあっては、これに限らず、４層、５層等と複数の層を設けることができる。
【００２２】
また、本実施例のゴキブリ駆除剤３は、ケース内部にゴキブリ駆除剤３を入れたが、本願発明にあっては、これに限らず、図示しないが、ゴキブリ駆除剤３を、ケースを設けず、例えば、通称「ゴキブリ団子、ほう酸団子」そのもので、円柱体等の柱体に形成し、載置面２に立設した柱体のゴキブリ駆除剤を開口部４ａ、開口部５ａを介して本体１０内に設けるようにしても良い。
【００２３】
その結果、誘引する部位を多段に設けた分、省スペースに対応できると共に、より多くのゴキブリを誘引することができ、しかも、ゴキブリ駆除剤３の効果を最下の層４のみならず、中間の層５にも及ぼすことができる。
【００２４】
また、上述した実施例においては、単体のゴキブリ駆除剤３を開口部４ａ、開口部５ａを介して本体１０内に設けるようにしたが、本願発明にあっては、これに限らず、ゴキブリ駆除剤３を複数設けるようにしても良い（例えば、最下の層４の上面に図示しないゴキブリ駆除剤を、中間の層５の上面に図示しないゴキブリ駆除剤を、それぞれ設けるようにする。）。
この場合のゴキブリ誘引器Ｇは、上方に位置する最上の層１と、下方に位置する最下の層４と、最上の層１と最下の層４との間に設けられた中間の層５と、下から上に向かって水平方向に間隔を設けて、最下の層４と中間の層５と最上の層１とが保持された本体１０と、最上の層１と中間の層５との間に設けられた第１のゴキブリ駆除剤（図示せず）と、最下の層４と中間の層５との間に設けられた第２のゴキブリ駆除剤（図示せず）とを備えてなる。
このゴキブリ誘引器Ｇにおいては、上述の実施例と同様、誘引する部位を多段に設けた分、省スペースに対応できると共に、より多くのゴキブリを誘引することができ、しかも、ゴキブリ駆除剤の効果を最下の層４と中間の層５との間のみならず、最上の層１と中間の層５との間にも及ぼすことができる。
【００２５】
また、上述した実施例においては、ゴキブリ駆除剤３、第１のゴキブリ駆除剤（図示せず）、第２のゴキブリ駆除剤（図示せず）を設けるようにしたが、本願発明にあっては、これに限らず、ゴキブリ駆除剤３、第１のゴキブリ駆除剤（図示せず）、第２のゴキブリ駆除剤（図示せず）をそれぞれ設けないようにしても良い。
この場合のゴキブリ誘引器Ｇは、上方に位置する最上の層１と、下方に位置する最下の層４と、最上の層１と最下の層４との間に設けられた中間の層５と、下から上に向かって水平方向に間隔を設けて、最下の層４と中間の層５と最上の層１とが保持された本体１０とを備えてなる。
このゴキブリ誘引器Ｇにおいては、上述の実施例と同様、誘引する部位を多段に設けた分、省スペースに対応できると共に、より多くのゴキブリを集めることができる。なお、集めた後は、例えば、ゴキブリに効く殺虫剤を噴霧して処理することができる。
【００２６】
また、最上の層１は、外縁が四角形状であり、また、最下の層４は、外縁が四角形状であり、また、中間の層５は、外縁が四角形状である。
また、図５に示すように、最上の層１の四隅にそれぞれ第１、第２、第３、第４の最上層開口部１Ａ、１Ｂ、１Ｃ、１Ｄが設けられている。
そして、第１、第２、第３、第４の中間開口部５Ａ、５Ｂ、５Ｃ、５Ｄが第１、第２、第３、第４の最上層開口部１Ａ、１Ｂ、１Ｃ、１Ｄに対応すると共に、中間の層５の外縁に開口して中間の層５に設けられている。
また、第１、第２、第３、第４の最下層開口部４Ａ、４Ｂ、４Ｃ、４Ｄが第１、第２、第３、第４の最上層開口部１Ａ、１Ｂ、１Ｃ、１Ｄに対応すると共に、最下の層４の外縁に開口して最下の層４に設けられている。
そして、第１の間隔保持部材６は、第１の最下層開口部４Ａの縁部及び第１の中間開口部５Ａの縁部に当接し、第１の最上層開口部１Ａより突出している（図１参照）。
また、第２の間隔保持部材７は、第２の最下層開口部４Ｂの縁部及び第２の中間開口部５Ｂの縁部に当接し、第２の最上層開口部１Ｂより突出している（図１参照）。
また、第３の間隔保持部材８は、第３の最下層開口部４Ｃの縁部及び第３の中間開口部５Ｃの縁部に当接し、第３の最上層開口部１Ｃより突出している（図１参照）。
また、第４の間隔保持部材９は、第４の最下層開口部４Ｄの縁部及び第４の中間開口部５Ｄの縁部に当接し、第４の最上層開口部１Ｄより突出している（図１参照）。
【００２７】
そのため、図１に示す突出した部位Ａ、Ｂ、Ｃ、Ｄの何れかを摘んでゴキブリ誘引器Ｇを廃棄することができ、更に、外縁が四角形状である最上の層１、最下の層４、中間の層５が積層されて構成された本体１０の側方の４面は、開放されているため、ゴキブリ誘引器Ｇへのゴキブリの侵入が容易で、より多くのゴキブリをゴキブリ誘引器Ｇ内に導くことができる。
【００２８】
また、上述した最上の層１、最下の層４、中間の層５、第１の間隔保持部材６、第２の間隔保持部材７、第３の間隔保持部材８及び第４の間隔保持部材９は、合成樹脂で形成しても良いが、望ましくは、紙製の段ボール（厚さ  １〜２ｍｍ）、厚紙（厚さ  １〜２ｍｍ）で形成されているのが良い。
最上の層１、最下の層４、中間の層５、第１の間隔保持部材６、第２の間隔保持部材７、第３の間隔保持部材８及び第４の間隔保持部材９を紙製の段ボールで形成されていると、ゴキブリ誘引器Ｇ内の保温性が良くゴキブリが集まり易く、誘引後もゴキブリ誘引器Ｇを焼却ゴミとしてそのまま廃棄することができる。
【符号の説明】
【００２９】
Ｇ      ゴキブリ誘引器
１      最上の層
２      載置面
３      ゴキブリ駆除剤
４      最下の層
５      中間の層
１０    本体
【図１】
2020198786.tif 000003
【図２】
2020198786.tif 000004
【図３】
2020198786.tif 000005
【図４】
2020198786.tif 000006
【図５】
2020198786.tif 000007